(57)【要約】在圏エリアに応じて異なる情報を配信することが出来る配信装置を提供することを目的とする。本発明にかかる配信装置（１０）は、イベントが発生した場所を含む周辺エリアに位置する複数の通信端末へ配信される配信情報であって、イベントの内容及び前記イベントが発生した場所との距離に応じて定まる配信情報を管理する情報管理部（１２）と、イベントの発生を示すイベント通知メッセージが送信された場合に、イベント通知メッセージを用いて、イベントの発生した位置及びイベントの内容を解析するメッセージ解析部（１４）と、メッセージ解析部（１４）における解析結果に応じて情報管理部（１２）において管理されている配信情報を抽出し、抽出した配信情報を周辺エリアに位置する複数の通信端末へ配信する配信部（１６）と、を備える。
2015001795.tif 000002
【特許請求の範囲】
【請求項１】
イベントが発生した場所を含む周辺エリアに位置する複数の通信端末へ配信される配信情報であって、前記イベントの内容及び前記イベントが発生した場所との距離に応じて定まる配信情報を管理する情報管理手段と、
イベントの発生を示すイベント通知メッセージが送信された場合に、前記イベント通知メッセージを用いて、前記イベントの発生した位置及び前記イベントの内容を解析するメッセージ解析手段と、
前記メッセージ解析手段における解析結果に応じて前記情報管理手段において管理されている配信情報を抽出し、抽出した前記配信情報を前記周辺エリアに位置する複数の通信端末へ配信する配信手段と、を備える配信装置。
【請求項２】
前記情報管理手段は、
前記イベントが発生した場所と、配信情報を配信するエリアとを関連づけて管理するエリア管理テーブルと、
前記配信するエリアと、前記配信情報とを関連付けて管理する情報管理テーブルとを有する、請求項１に記載の配信装置。
【請求項３】
前記エリア管理テーブルは、
前記イベントが発生した場所との距離に応じて、複数の配信エリアを管理する、請求項２に記載の配信装置。
【請求項４】
前記情報管理テーブルは、
前記配信エリア毎に異なる配信情報を関連付けて管理する、請求項２又は３に記載の配信装置。
【請求項５】
前記配信手段は、
前記配信するエリア毎に異なる配信情報を前記通信端末へ配信する、請求項４に記載の配信装置。
【請求項６】
前記配信手段は、
前記情報管理テーブルに管理されている複数の配信情報を含む１つのメッセージを生成し、前記メッセージを複数の配信エリアへ配信する、請求項４に記載の配信装置。
【請求項７】
前記配信手段は、
前記イベントが発生した場所との距離に応じて、前記配信情報を受信する前記通信端末の挙動を変更させる、請求項１乃至６のいずれか１項に記載の配信装置。
【請求項８】
前記配信手段は、
前記イベントが発生した場所との距離に応じて、前記配信情報を配信する優先度を変更する、請求項１乃至７のいずれか１項に記載の配信装置。
【請求項９】
前記配信手段は、
ユニキャスト通信及び同報配信の少なくとも一方を用いて前記配信情報を配信する、請求項１乃至７のいずれか１項に記載の配信装置。
【請求項１０】
前記配信手段は、
前記周辺エリアに位置する通信端末の数に応じて、前記ユニキャスト通信及び前記同報配信のいずれかを選択し、前記配信情報を前記選択した通信手段を用いて配信する、請求項９に記載の配信装置。
【請求項１１】
イベントが発生した場所を含む周辺エリアに位置する複数の通信端末へ配信される配信情報であって、前記イベントの内容及び前記イベントが発生した場所との距離に応じて定まる配信情報を配信する配信装置から配信された前記配信情報を受信する受信手段と、
自装置の位置と、前記イベントが発生した場所との間の距離を測定する距離測定手段と、
前記距離測定手段における測定結果に応じて前記配信情報の中から受信すべき情報を抽出する情報抽出手段と、を備える通信端末。
【請求項１２】
前記距離測定手段は、
ＧＰＳ機能もしくは在圏するセルを識別するセルＩＤを用いて前記イベントが発生した場所との間の距離を測定する、請求項１１に記載の通信端末。
【請求項１３】
イベントの発生を示すイベント通知メッセージを受信し、
前記イベント通知メッセージを用いて前記イベントの発生した位置及び発生した前記イベントの内容を解析し、
前記解析結果に応じて、イベントが発生した場所を含む周辺エリアに位置する複数の通信端末へ配信される配信情報であって、前記イベントの内容及び前記イベントが発生した場所との距離に応じて定まる配信情報を管理する情報管理手段から前記配信情報を抽出し、
抽出した前記配信情報を前記周辺エリアに位置する複数の通信端末へ配信する、配信方法。
【請求項１４】
イベントが発生した場所を含む周辺エリアに位置する複数の通信端末へ配信される配信情報であって、前記イベントの内容及び前記イベントが発生した場所との距離に応じて定まる配信情報を配信する配信装置から配信された前記配信情報を受信し、
自装置の位置と、前記イベントが発生した場所との間の距離を測定し、
前記測定結果に応じて前記配信情報の中から受信すべき情報を抽出する受信方法。
【請求項１５】
イベントの発生を示すイベント通知メッセージを受信するステップと、
前記イベント通知メッセージを用いて前記イベントの発生した位置及び発生した前記イベントの内容を解析するステップと、
前記解析結果に応じて、イベントが発生した場所を含む周辺エリアに位置する複数の通信端末へ配信される配信情報であって、前記イベントの内容及び前記イベントが発生した場所との距離に応じて定まる配信情報を管理する情報管理手段から前記配信情報を抽出するステップと、
抽出した前記配信情報を前記周辺エリアに位置する複数の通信端末へ配信するステップとをコンピュータに実行させるプログラムが格納された非一時的なコンピュータ可読媒体。
【請求項１６】
イベントが発生した場所を含む周辺エリアに位置する複数の通信端末へ配信される配信情報であって、前記イベントの内容及び前記イベントが発生した場所との距離に応じて定まる配信情報を配信する配信装置から配信された前記配信情報を受信するステップと、
自装置の位置と、前記イベントが発生した場所との間の距離を測定するステップと、
前記測定結果に応じて前記配信情報の中から受信すべき情報を抽出するステップとをコンピュータに実行させるプログラムが格納された非一時的なコンピュータ可読媒体。
【請求項１７】
イベントに関する情報を特定のエリアに位置する通信装置に配信する配信手段を備え、前記イベントが発生した位置と前記特定のエリアとの位置関係に応じて前記情報が異なる配信装置。
【発明の詳細な説明】
【技術分野】
【０００１】
本発明は配信装置に関し、例えば同報配信もしくはユニキャスト通信を用いて情報配信を行う配信装置に関する。
【背景技術】
【０００２】
一般的に、通信ネットワークを介して災害情報等を迅速に配信するために、Cell Broadcast Service（ＣＢＳ）が用いられている。ＣＢＳは、情報配信元装置から送信された情報を、基地局が管理するセル単位に情報を配信するサービスである。つまり、ＣＢＳを用いることによって、セルに在圏する全ての通信端末に対して同一の情報を送信することが出来る。これによって、セルに在圏する全ての通信端末は、基地局を介して同一の情報を受信することが出来る。ＣＢＳのネットワーク構成及びＣＢＳを構成する各装置の動作等は、例えば非特許文献１に開示されている。
【先行技術文献】
【非特許文献】
【０００３】
【非特許文献１】3GPP TS 23.041 V12.2.0 (2013-06) 3rd Generation Partnership Project; Technical Specification Group Core Network and Terminals; Technical realization of Cell Broadcast Service (CBS) (Release 12)
【発明の概要】
【発明が解決しようとする課題】
【０００４】
ＣＢＳを用いた場合、全ての基地局は、同一の情報を通信端末に対して配信することになる。そのため、複数のセルを含むＣＢＳメッセージの配信エリアに在圏しているそれぞれの通信端末は、全て同一の情報を受信することになる。ここで、それぞれの通信端末は、在圏しているエリア、例えば在圏しているセル、に応じて、必要となる情報が異なる場合がある。しかし、ＣＢＳを用いた場合、配信エリア内の全端末に対して同一の情報を配信することになる。そのため、在圏しているセルに応じて、必要となる情報が異なる場合に、それぞれの通信端末は、必要としている情報を得ることが出来ないという問題がある。【０００５】
本発明の目的は、在圏エリアに応じて異なる情報を配信することが出来る配信装置、通信端末、配信方法、受信方法及びプログラムを提供することにある。
【課題を解決するための手段】
【０００６】
本発明の第１の態様にかかる配信装置は、イベントが発生した場所を含む周辺エリアに位置する複数の通信端末へ配信される配信情報であって、前記イベントの内容及び前記イベントが発生した場所との距離に応じて定まる配信情報を管理する情報管理部と、イベントの発生を示すイベント通知メッセージが送信された場合に、前記イベント通知メッセージを用いて、前記イベントの発生した位置及び前記イベントの内容を解析するメッセージ解析部と、前記メッセージ解析部における解析結果に応じて前記情報管理部において管理されている配信情報を抽出し、抽出した前記配信情報を前記周辺エリアに位置する複数の通信端末へ配信する配信部と、を備えるものである。【０００７】
本発明の第２の態様にかかる通信端末は、イベントが発生した場所を含む周辺エリアに位置する複数の通信端末へ配信される配信情報であって、前記イベントの内容及び前記イベントが発生した場所との距離に応じて定まる配信情報を配信する配信装置から配信された前記配信情報を受信する受信部と、自装置の位置と、前記イベントが発生した場所との間の距離を測定する距離測定部と、前記距離測定部における測定結果に応じて前記配信情報の中から受信すべき情報を抽出する情報抽出部と、を備えるものである。【０００８】
本発明の第３の態様にかかる配信方法は、イベントの発生を示すイベント通知メッセージを受信し、前記イベント通知メッセージを用いて前記イベントの発生した位置及び発生した前記イベントの内容を解析し、前記解析結果に応じて、イベントが発生した場所を含む周辺エリアに位置する複数の通信端末へ配信される配信情報であって、前記イベントの内容及び前記イベントが発生した場所との距離に応じて定まる配信情報を管理する情報管理部から前記配信情報を抽出し、抽出した前記配信情報を前記周辺エリアに位置する複数の通信端末へ配信するものである。【０００９】
本発明の第４の態様にかかる受信方法は、イベントが発生した場所を含む周辺エリアに位置する複数の通信端末へ配信される配信情報であって、前記イベントの内容及び前記イベントが発生した場所との距離に応じて定まる配信情報を配信する配信装置から配信された前記配信情報を受信し、自装置の位置と、前記イベントが発生した場所との間の距離を測定し、前記測定結果に応じて前記配信情報の中から受信すべき情報を抽出するものである。【００１０】
本発明の第５の態様にかかるプログラムは、イベントの発生を示すイベント通知メッセージを受信するステップと、前記イベント通知メッセージを用いて前記イベントの発生した位置及び発生した前記イベントの内容を解析するステップと、前記解析結果に応じて、イベントが発生した場所を含む周辺エリアに位置する複数の通信端末へ配信される配信情報であって、前記イベントの内容及び前記イベントが発生した場所との距離に応じて定まる配信情報を管理する情報管理部から前記配信情報を抽出するステップと、抽出した前記配信情報を前記周辺エリアに位置する複数の通信端末へ配信するステップとをコンピュータに実行させるものである。
【発明の効果】
【００１１】
本発明によって、在圏エリアに応じて異なる情報を配信することが出来る配信装置、通信端末、配信方法、受信方法及びプログラムを提供することができる。
【図面の簡単な説明】
【００１２】
【図１】実施の形態１にかかる配信装置の構成図である。
【図２】実施の形態２にかかる情報配信システムの構成図である。
【図３】実施の形態２にかかる配信情報送信処理の流れを示す図である。
【図４】実施の形態２にかかるエリア管理テーブルを示す図である。
【図５】実施の形態２にかかる配信装置の構成図である。
【図６】実施の形態２にかかる配信情報管理テーブルを示す図である。
【図７】実施の形態３にかかる情報配信システムの構成図である。
【図８】実施の形態４にかかる情報配信システムの構成図である。
【図９】実施の形態４にかかる配信情報送信処理の流れを示す図である。
【図１０】実施の形態５にかかるＵＥの構成図である。
【図１１】実施の形態５にかかる受信処理の流れを示す図である。
【図１２】実施の形態５にかかるＵＥにおける判定条件を説明する図である。
【図１３】実施の形態６にかかるｅＮＢの構成図である。
【図１４】実施の形態６にかかる配信情報送信処理の流れを示す図である。
【図１５】実施の形態６にかかるWrite-Replace Warning Requestメッセージに設定されるパラメータを示す図である。
【図１６】実施の形態６にかかるCell Broadcast deliveryメッセージに設定されるパラメータを示す図である。
【図１７】実施の形態６にかかる配信情報送信処理の流れを示す図である。
【図１８】実施の形態６にかかるWrite-Replaceメッセージに設定されるパラメータを示す図である。
【図１９】実施の形態７にかかる情報配信システムの構成図である。
【図２０】実施の形態８にかかる情報配信システムの構成図である。
【図２１】実施の形態８にかかるＣＢＳが用いられる場合のネットワークを示す図である。
【図２２】実施の形態８にかかるＭＢＭＳが用いられる場合のネットワークを示す図である。
【発明を実施するための形態】
【００１３】
（実施の形態１）
以下、図面を参照して本発明の実施の形態について説明する。はじめに、図１を用いて本発明の実施の形態１にかかる配信装置１０の構成例について説明する。配信装置１０は、情報管理部１２、メッセージ解析部１４及び配信部１６を有している。
【００１４】
情報管理部１２は、イベントが発生した場所を含む周辺エリアに位置する複数の通信端末へ配信される情報であって、イベントの内容及びイベントが発生した場所との距離に応じて定まる配信情報を管理する。
【００１５】
イベントが発生した場所とは、例えば、交通事故が発生した場所もしくは犯罪が発生した場所等であってもよい。周辺エリアは、例えば、イベントが発生した場所の周囲数キロメートルの範囲、もしくは周囲数メートルの範囲等、イベントが発生した場所を中心として定められるエリアであってもよい。また、周辺エリアは、イベントが発生した場所を中心とする同心円状の形状であってもよい。もしくは、周辺エリアの形状は、三角、四角等の多角形状であってもよく、楕円形状等であってもよい。また、周辺エリアの形状は、例えば、道路沿い、Ａ番地からＢ番地まで等、地理情報と対応付けられる形状であってもよい。
【００１６】
イベントの内容は、例えば、発生したイベントが交通事故であるのかもしくは犯罪であるのかを示す情報であってもよい。また、イベントの内容は、これらに制限されず、その他の様々なイベントを示す情報であってもよい。イベントが発生した場所との距離とは、例えば、配信情報を受信する通信端末と、イベントが発生した場所との間の距離である。
【００１７】
メッセージ解析部１４は、イベントの発生を検知した通信端末２２からイベント通知メッセージが送信された場合に、イベント通知メッセージを用いて、イベント通知メッセージを送信した通信端末２２の位置及び通信端末２２が検知したイベントの内容を解析する。
【００１８】
通信端末２２は、例えば、イベントを目撃した人が保持する通信端末であってもよい。この場合、イベントを目撃した人が、通信端末にイベント内容を入力し、無線回線等を介してイベント内容に関する情報をメッセージ解析部１４へ送信してもよい。
【００１９】
もしくは、通信端末２２は、例えば、自動車に備え付けられた端末であってもよい。交通事故に巻き込まれた自動車が交通事故を検知し、検知した情報を自律的にメッセージ解析部１４へ送信してもよい。例えば、自動車には衝撃を検知するセンサが搭載されており、センサが衝撃を検知した場合に交通事故が発生したとみなされてもよい。この場合、交通事故に巻き込まれた自動車は、自動車に備え付けられた通信端末もしくは通信モジュールを介して、交通事故が発生したとの情報をメッセージ解析部１４へ送信してもよい。
【００２０】
通信端末２２は、イベント内容とともに現在位置を示す情報を設定したイベント通知メッセージをメッセージ解析部１４へ送信する。現在位置を示す情報は、例えば、通信端末２２がＧＰＳ機能を有する場合、ＧＰＳ測位情報であってもよい。もしくは、通信端末が、基地局が形成するセルエリア内に在圏し、基地局との間において無線通信を行う場合、現在位置を示す情報は、通信端末が在圏するセルに関する情報であってもよい。セルに関する情報は、例えば、セルＩＤ等を用いて示される。ここで、通信端末２２の現在位置が、イベントが発生した場所とみなされてもよい。
【００２１】
メッセージ解析部１４は、イベント通知メッセージを解析し、通信端末２２の位置及びイベント内容を特定する。
【００２２】
配信部１６は、メッセージ解析部１４における解析結果に応じて情報管理部１２において管理されている配信情報を抽出し、抽出した配信情報をイベントが発生した場所の周辺エリアに位置する複数の通信端末へ配信する。
【００２３】
以上説明したように、本発明の実施の形態１にかかる配信装置１０は、通信端末から送信されるイベント通知メッセージを受信することによって、発生したイベントの内容及びイベントが発生した場所を特定することができる。さらに、配信装置１０は、異なる場所に位置する通信端末に対して、異なる情報を配信することが出来る。これによって、配信装置１０は、それぞれの通信端末に対してイベントの内容及びイベントが発生した場所からの距離に応じて、通信端末において必要な情報を配信することが出来る。
【００２４】
なお、本図においては、イベントを検知した通信端末２２がメッセージ解析部１４へイベント通知メッセージを送信することを説明したが、イベント通知メッセージを送信する装置は、通信端末２２に限定されるものではない。例えば、メッセージ解析部１４は、イベントを検知した外部サーバ装置等から送信されたイベント通知メッセージを受信してもよい。
【００２５】
（実施の形態２）
続いて、図２を用いて本発明の実施の形態２にかかる情報配信システムの構成例について説明する。図２の情報配信システムは、３ＧＰＰにおいて規定されたネットワークであって、ＣＢＳを提供するネットワークによって構成されている。また、本図においては情報配信システムとして、３ＧＰＰにおいて規定されたネットワークを用いる構成について説明しているが、３ＧＰＰにおいて規定されたネットワークに制限されず、ＰＨＳ通信ネットワーク等の他の移動通信ネットワークが用いられてもよい。もしくは、情報配信システムとして、移動通信ネットワークに制限されず、固定電話の通信に用いられる固定通信ネットワークが用いられてもよく、さらに、Ｗ−ＬＡＮ通信に用いられるネットワーク等が用いられてもよい。他の実施形態においても同様に、様々なネットワークが用いられてもよい。
【００２６】
図２の情報配信システムは、配信装置１０、Cell Broadcast Center（ＣＢＣ）３１、Mobile Management Element（ＭＭＥ）３２、evolved Node B（ｅＮＢ）３３〜３５、User Equipment（ＵＥ）３６〜３８を有している。配信装置１０は、図１の配信装置１０と同様であるため、図１と同様の符号を付して説明する。
【００２７】
ＵＥ３６〜３８は、図１における通信端末２０〜２４に相当する。ここで、ＣＢＣ３１、ＭＭＥ３２及びｅＮＢ３３〜３５は、移動通信ネットワークを構成する。配信装置１０は、例えば移動通信ネットワークとは異なるネットワークに配置される装置である。例えば、配信装置１０は、移動通信ネットワークを介して通信を行うＵＥ等へアプリケーションサービスを提供するアプリケーションサーバであってもよく、アプリケーションサービスを提供するサービスプラットフォームを構成する装置であってもよい。配信装置１０は、移動通信ネットワークを管理する事業者とは異なる事業者が管理する装置である。以下に、図２における各装置について説明を行う。
【００２８】
ｅＮＢ３３〜３５は、無線システムとしてLong Term Evolution（ＬＴＥ）に対応した基地局である。図２においては、基地局としてｅＮＢ３３〜３５を用いる構成例について説明しているが、２Ｇもしくは３Ｇシステムに対応したNode B（ＮＢ）等が用いられてもよい。ｅＮＢ３３〜３５は、移動通信ネットワークの上位装置から送信されたデータをＵＥ３６〜３８へ送信し、さらに、ＵＥ３６〜３８から送信されたデータを上位装置へ送信する。上位装置は、例えば、ＭＭＥ３２もしくはＣＢＣ３１等である。上位装置は、中継装置と称されてもよい。
【００２９】
ｅＮＢ３３〜３５は、ＵＥ３６〜３８へデータを送信する際に、ｅＮＢ３３〜３５が形成するセル内に在圏する全てのＵＥに対してデータを送信するセルブロードキャスト通信を行う。セルブロードキャスト通信は、ＭＭＥ３２が、セル単位にデータの配信を行うことをｅＮＢへ指示し、ｅＮＢが、セル内に在圏する全てのＵＥに対してデータを配信する通信である。データの配信対象となるセルは、ＣＢＣ３１において決定される。
【００３０】
ＭＭＥ３２は、ｅＮＢ３３〜３５と接続している。ＭＭＥ３２は、ＵＥ３６〜３８の移動管理を行う。例えば、ＭＭＥ３２は、ＵＥ３６〜３８のいずれかのＵＥに対する着信メッセージが送信されてきた場合に、ＵＥが在圏する位置登録エリアを指定し、ＵＥに対する呼び出し処理を実行する。また、ＭＭＥ３２は、ＵＥ３６〜３８に関する制御メッセージを送受信する。
【００３１】
ＣＢＣ３１は、ＭＭＥ３２及び配信装置１０と接続している。ＣＢＣ３１は、配信装置１０から、配信するエリア及び配信エリアに応じた配信情報を含む配信通知メッセージを受信した場合に、セル単位に配信エリアを決定し、さらに、セル単位の配信エリア及び配信情報を含むメッセージ（ＣＢＳメッセージ）を作成する。ＣＢＣ３１は、ＭＭＥ３２を介して作成したＣＢＳメッセージをｅＮＢへ送信する。ＣＢＣ３１が決定する配信エリアは、例えば、配信情報を配信するセルを示す情報である。ＣＢＣ３１は、配信装置１０において指定された配信情報を配信するエリアを、配信情報を配信するセルを特定する情報に変換する。
【００３２】
配信装置１０は、ＣＢＣ３１と接続している。配信装置１０は、ＵＥから送信されたイベントの発生を通知するイベント通知メッセージを受信する。配信装置１０は、移動通信ネットワークを介してイベント通知メッセージを受信してもよく、移動通信ネットワークとは異なるネットワーク、例えば、インターネットサービスプロバイダ等が提供するネットワークであるインターネット等を介してイベント通知メッセージを受信してもよい。図２においては、配信装置１０は、ＵＥ３７から送信されたイベント通知メッセージを受信している様子を示しているが、配信装置１０は、複数のＵＥから送信されたイベント通知メッセージを受信してもよい。さらに、配信装置１０は、イベント通知メッセージに基づいて定められる配信通知メッセージを、ＣＢＣ３１へ送信する。配信装置１０は、配信情報とともに配信情報を配信するエリアに関する情報もＣＢＣ３１へ送信する。
【００３３】
ＵＥ３６〜３８は、ＣＢＣ３１から配信されたＣＢＳメッセージを受信する端末である。さらにＵＥ３６〜３８は、イベントを検知した場合、検知したイベントを配信装置１０へ通知するために、イベント通知メッセージを配信装置１０へ送信する。
【００３４】
ここで、ＵＥ３６〜３８は、受信したＣＢＳメッセージを表示部（図示せず）等へ出力する際に、ブザー音を鳴らすことによって、ＵＥを操作するユーザに対してＣＢＳメッセージの緊急性を通知してもよい。
【００３５】
また、配信装置１０は、配信するエリアに応じて、ＵＥの挙動を変更するように制御してもよい。例えば、配信装置１０は、イベント発生エリアから近距離エリアに位置するＵＥに対しては、ＣＢＳメッセージをポップアップ画面に表示するとともにブザー音を鳴らすように指示するメッセージを送信してもよい。さらに、配信装置１０は、イベント発生エリアから中距離エリアに位置するＵＥに対しては、ＣＢＳメッセージをポップアップ画面に表示することを指示するメッセージを送信してもよい。さらに、配信装置１０は、イベント発生エリアから長距離エリアに位置するＵＥに対しては、ＣＢＳメッセージをポップアップ画面に表示することなく、例えば、メールの受信フォルダに格納するように指示するメッセージを送信してもよい。
【００３６】
続いて、図３を用いて本発明の実施の形態２にかかる配信装置１０の配信情報送信処理の流れについて説明する。はじめに、メッセージ解析部１４は、ＵＥ３６〜３８のいずれかのＵＥから送信されたイベント通知メッセージを受信する（Ｓ１１）。もしくは、メッセージ解析部１４は、複数のＵＥから送信されたイベント通知メッセージを受信してもよい。
【００３７】
次に、メッセージ解析部１４は、受信したイベント通知メッセージを用いて、イベント通知メッセージを送信したＵＥの位置を特定する。さらに、メッセージ解析部１４は、特定したＵＥの位置をイベントが発生した場所とみなし、情報管理部１２を用いて配信エリアを決定する（Ｓ１２）。
【００３８】
ここで、図４を用いて、イベント発生場所と配信エリアとを関連付けたエリア管理テーブルについて説明する。情報管理部１２が、エリア管理テーブルを有している。エリア管理テーブルは、イベント発生場所と、イベント発生場所から離れている距離に応じて定義される近距離エリア、中距離エリア及び長距離エリアとを関連付けて管理している。例えば、ＵＥが位置するエリアとして、エリアＡ〜Ｇが定義される。イベントが発生した場所がエリアＡであるとすると、近距離エリアはエリアＢ、Ｃ、Ｄ、中距離エリアは、エリアＥ、Ｆ、長距離エリアは、エリアＧと定められる。また、イベントが発生した場所がエリアＧであるとすると、近距離エリアは、エリアＥ、Ｆ、中距離エリアは、エリアＢ、Ｃ、Ｄ、長距離エリアは、エリアＡと定められる。配信装置１０は、イベント発生場所、近距離エリア、中距離エリア及び長距離エリアのそれぞれのエリアに在圏するＵＥに対して情報を配信する。
【００３９】
図４のエリア管理テーブルは、イベント発生場所に応じた配信エリアが予め定められていてもよく、イベントの発生が通知されるたびに、配信ポリシーに応じて定められてもよい。例えば、イベント発生場所を中心として半径Ａキロメートルの範囲内を近距離エリアとし、半径Ｂキロメートルの範囲内を中距離エリアとし、半径Ｃキロメートルの範囲内を遠距離エリアとする、という内容の配信ポリシーが定められている場合について説明する。このような場合、メッセージ解析部１４においてイベント発生場所が特定されると、情報管理部１２は、イベント発生場所を基準として、配信ポリシーに応じて近距離エリア、中距離エリア及び長距離エリアを定める。
【００４０】
また、エリアＡ〜Ｇは、高速道路の位置、住所情報等と関連づけられたエリアであってもよい。例えば、配信装置１０は、図５に示すように、高速道路の位置もしくは住所情報等の地理情報を管理する地理情報管理部１８を有してもよい。例えば、情報管理部１２は、エリアＡ〜Ｇに対応する住所情報を地理情報管理部１８から取得してもよい。さらに、地理情報管理部１８は、メッセージ解析部１４においてイベント発生場所が推定された場合に、イベント発生場所に対応する住所情報を特定してもよい。また、地理情報管理部１８は、例えば、イベント発生場所が高速道路上であることを特定した場合、配信エリアを高速道路上のエリアにするように情報管理部１２へ指示情報を出力してもよい。
【００４１】
次に、図３に戻り、配信部１６は、情報管理部１２から配信エリアに応じた配信情報を抽出する（Ｓ１３）。具体的には、配信部１６は、ステップＳ１２において決定した配信エリア及びイベント通知メッセージにおいて通知されたイベント内容を用いて、情報管理部１２から配信エリアに応じた配信情報を抽出する。
【００４２】
ここで、図６を用いて、配信エリアと配信情報とを関連付けた配信情報管理テーブルについて説明する。情報管理部１２が、配信情報管理テーブルを有している。配信情報管理テーブルは、近距離エリア、中距離エリア及び長距離エリアのそれぞれに配信する情報を管理している。例えば、発生したイベントが自動車事故である場合、近距離エリアに位置するＵＥに対しては、停止命令を示す情報を配信する。ここで、情報を配信する対象のＵＥとして、例えば、自動車に取り付けられている通信端末、自動車のカーナビゲーションシステムもしくは自動車に乗車しているユーザが保持する通信端末があげられる。発生したイベントが自動車事故である場合、中距離エリアに位置するＵＥに対しては、迂回路の指示を示す情報を配信し、長距離エリアに位置するＵＥに対しては、減速の指示を示す応報を配信する。
【００４３】
さらに、発生したイベントが犯罪である場合、近距離エリアに位置するＵＥに対しては避難警報を示す情報を配信し、中距離エリアに位置するＵＥに対しては、犯罪エリアへの接近禁止命令を示す情報を配信し、長距離エリアに位置するＵＥに対しては迂回路の指示を示す情報を配信する。図５の配信情報管理テーブルにおいては、自動車事故及び犯罪が発生した場合に配信する情報の例を示しているが、その他のイベントが発生した場合の配信情報が管理されてもよい。
【００４４】
次に、図３に戻り、配信部１６は、配信エリアに関する情報及び配信エリアに関連づけられた配信情報をＣＢＣ３１へ送信する（Ｓ１４）。ＣＢＣ３１は、配信部１６から通知された配信エリアに対応付けられたセルを特定し、特定したセルに対して、配信部１６から通知された配信情報を設定したＣＢＳメッセージを送信する。ＣＢＣ３１は、近距離エリアに対応するセル、中距離エリアに対応するセル及び長距離エリアに対応するセルのそれぞれに対してＣＢＳメッセージを送信する。
【００４５】
以上説明したように、本発明の実施の形態２にかかる情報配信システムを用いることによって、イベント発生場所からの距離に応じて異なる配信情報をＵＥへ配信することが出来る。具体的には、ＣＢＳを用いて、イベント発生場所から離れた距離に応じて定まる近距離エリア、中距離エリア及び長距離エリアに対して異なる配信情報を配信することが出来る。
【００４６】
また、配信装置１０は、配信するエリアに応じて、配信する優先度及び配信する期間を定めてもよい。例えば、配信装置１０は、近距離エリアに位置するＵＥに対して優先的に情報を配信してもよい。例えば、配信装置１０は、近距離エリアに位置するＵＥに対して先に情報配信を行い、そのあとに中距離エリアに情報配信を行い、そのあとに長距離エリアに情報配信を行ってもよい。
【００４７】
さらに、例えば、配信装置１０は、近距離エリアに位置するＵＥに対して情報を配信する回数を多くし、中距離エリア、長距離エリアとエリアが遠くなるにつれて情報を配信する回数を少なくしてもよい。
【００４８】
このように配信するエリアに応じて、配信する優先度及び配信する期間を定めることによって、よりイベント発生場所に近い位置に存在するＵＥに対しては、より早く、さらに確実に情報を配信することが出来る。
【００４９】
（実施の形態３）
続いて、図７を用いて本発明の実施の形態３にかかる情報配信システムの構成例について説明する。図７の情報配信システムは、３ＧＰＰにおいて規定されたネットワークである。図６の情報配信システムは、配信装置１０、Packet Data Network Gateway（ＰＧＷ）４１、Serving Gateway（ＳＧＷ）４２、ｅＮＢ３３〜３５及びＵＥ３６〜３８を有している。配信装置１０、ｅＮＢ３３〜３５及びＵＥ３６〜３８は、図２と同様であるため詳細な説明を省略する。
【００５０】
ＰＧＷ４１は、ＰＧＷ４１、ＳＧＷ４２及びｅＮＢ３３〜３５によって構成される移動通信ネットワークとは異なる外部ネットワークに配置された装置と通信を行うゲートウェイ装置である。ＰＧＷ４１は、外部ネットワークに配置された装置から送信されたデータをＳＧＷ４２及びｅＮＢ３３〜３５を介してＵＥ３６〜３８へ送信する。ＳＧＷ４２は、ＰＧＷ４１とｅＮＢ３３〜３５との間において送受信されるデータを中継する。
【００５１】
配信装置１０は、ＰＧＷ４１と接続している。配信装置１０は、ＵＥから送信されたイベントの発生を通知するイベント通知メッセージを受信する。さらに、配信装置１０は、イベント通知メッセージに基づいて定められる配信情報を、ＰＧＷ４１へ送信する。配信装置１０は、配信情報とともに配信情報を配信するエリアに関する情報もＰＧＷ４１へ送信する。
【００５２】
ＰＧＷ４１は、配信装置１０から通知された配信エリア内に位置するＵＥに対して、ユニキャスト通信を用いて配信情報を送信する。つまり、ＰＧＷ４１は、配信情報の宛先をＵＥに設定して、配信情報をＵＥへ送信する。ＰＧＷ４１は、例えば、ＨＳＳ（図示せず）を用いて配信先エリアに位置するＵＥを特定してもよい。また、ＨＳＳは、配信装置１０から通知される配信先エリアと、移動通信ネットワーク内においてＵＥの位置を管理するために用いるエリアとを対応付けて管理してもよい。このようにすることによって、ＨＳＳは、配信装置１０から通知された配信先エリアに位置するＵＥを特定することが出来る。
【００５３】
ＰＧＷ４１は、配信装置１０から通知された配信先エリア毎に定まる配信情報をＵＥへ送信する。
【００５４】
ここで、ユニキャスト通信を用いる場合、配信先エリア毎に配信情報を変更するとともに、さらにＵＥ毎に配信情報を変更してもよい。例えば、ＵＥの端末種別等に応じて配信情報が変更されてもよい。例えば、配信先のＵＥがスマートフォンである場合は、配信先のＵＥがスマートフォンよりも表示部が小さい携帯電話である場合よりも、配信情報の文字数を増加させるようにしてもよい。
【００５５】
もしくは、ＵＥを保持するユーザの年齢に応じて配信情報が変更されてもよい。例えば、配信先のＵＥを保持するユーザが小学生である場合、ＵＥを保持するユーザが成人した大人である場合よりも、配信情報の内容を簡潔に短くするようにしてもよい。
【００５６】
ＵＥの端末種別もしくは年齢情報等は、ＨＳＳにおいて保持されている加入者情報に定められていてもよい。また、配信装置１０が、ＵＥの端末種別もしくは年齢情報等に応じて配信情報を変更することをＰＧＷ４１に対して指示してもよい。
【００５７】
以上説明したように、本発明の実施の形態３にかかる情報配信システムを用いることによって、移動通信ネットワーク内において、配信装置１０から通知された配信情報を、宛先をＵＥに設定するユニキャスト通信を用いて送信することが出来る。ユニキャスト通信を用いることによって、ＣＢＳを用いる場合と比較して、配信先のＵＥに応じて配信情報を変更することが出来る。
【００５８】
（実施の形態４）
続いて、図８を用いて本発明の実施の形態４にかかる情報配信システムの構成例について説明する。図８の情報配信システムは、配信装置１０、ＣＢＣ３１、ＭＭＥ３２、ＰＧＷ４１、ＳＧＷ４２、ｅＮＢ６１〜６４、ＵＥ６５〜６８及びＨＳＳ５１を有している。
【００５９】
図８の情報配信システムは、ＣＢＳを用いた情報配信システムの構成例を示した図２の構成と、ユニキャスト通信を実行する情報配信システムの構成例を示した図７の構成とを組み合わせた構成である。ＣＢＣ３１、ＭＭＥ３２、ｅＮＢ６３〜６４及びＵＥ６７〜６８は、ｅＮＢ及びＵＥの数が異なるが実質的に図２の構成と同様である。また、ＰＧＷ４１、ＳＧＷ４２、ｅＮＢ６１〜６２及びＵＥ６５〜６６は、ｅＮＢ及びＵＥの数が異なるが実質的に図７の構成と同様である。
【００６０】
配信装置１０は、ＣＢＣ３１、ＰＧＷ４１及びＨＳＳ５１と接続している。配信装置１０は、情報配信を行う際に、ＣＢＣ３１及びＰＧＷ４１の少なくとも一方を選択し、選択した装置を介してＵＥへ情報配信を行う。配信装置１０は、ＣＢＣ３１及びＰＧＷ４１の少なくとも一方を選択する際に、ＨＳＳ５１に保持されている情報を用いてもよい。
【００６１】
続いて、図９を用いて本発明の実施の形態４にかかるメッセージ配信処理の流れについて説明する。図９のメッセージ配信処理は、配信装置１０がセルブロードキャスト通信を選択するかもしくはユニキャスト通信を選択するかを判定することを特徴の一つとしている。
【００６２】
はじめに、メッセージ解析部１４は、ＵＥ６５〜６８のいずれかのＵＥから送信されたイベント通知メッセージを受信する（Ｓ２１）。もしくは、メッセージ解析部１４は、複数のＵＥから送信されたイベント通知メッセージを受信してもよい。
【００６３】
次に、メッセージ解析部１４は、受信したイベント通知メッセージを用いて、イベント通知メッセージを送信したＵＥの位置を特定する。さらに、メッセージ解析部１４は、特定したＵＥの位置をイベントが発生した場所とみなし、情報管理部１２を用いて配信エリアを決定する（Ｓ２２）。メッセージ解析部１４は、配信エリアとして、例えば、図４に示す近距離エリア、中距離エリア及び長距離エリアを定める。
【００６４】
次に、メッセージ解析部１４は、決定した近距離エリア、中距離エリア及び長距離エリアのそれぞれのエリア内のＵＥ数を測定する（Ｓ２３）。はじめに、メッセージ解析部１４は、近距離エリア内のＵＥ数を測定してもよい。例えば、メッセージ解析部１４は、ＨＳＳ５１が保持しているＵＥ毎の位置情報を用いて、それぞれのエリア内のＵＥ数を測定する。メッセージ解析部１４は、近距離エリア内のＵＥ数が、予め定められた閾値よりも多い場合、セルブロードキャスト通信を用いて情報配信を行うことを決定する（Ｓ２４）。もしくは、メッセージ解析部１４は、近距離エリア内のＵＥ数が、予め定められた閾値よりも少ない場合、ユニキャスト通信を用いて情報配信を行うことを決定する（Ｓ２５）。
【００６５】
ステップＳ２４の後もしくはステップＳ２５の後に、配信部１６は、情報管理部１２から配信エリアに応じた配信情報を抽出する（Ｓ２６）。具体的には、配信部１６は、ステップＳ２２において決定した配信エリア及びイベント通知メッセージにおいて通知されたイベント内容を用いて、情報管理部１２から配信エリアに応じた配信情報を抽出する。
【００６６】
次に、メッセージ解析部１４は、エリア内のＵＥ数を測定していない未測定エリアが有るか否かを判定する（Ｓ２７）。例えば、メッセージ解析部１４は、近距離エリア、中距離エリア及び長距離エリアの中で、ＵＥ数を測定していない未測定エリアが有るか否かを判定する。メッセージ解析部１４は、未測定エリアが有ると判定した場合、ステップＳ２３以降の処理を繰り返し、未測定エリアにおけるＵＥ数の測定を行う。また、メッセージ解析部１４は、未測定エリアがないと判定した場合、ＣＢＣ３１もしくはＰＧＷ４１へ配信メッセージを送信する（Ｓ２８）。
【００６７】
ここで、情報配信手段として、セルブロードキャスト通信とユニキャスト通信とが混在してもよい。例えば、近距離エリアに位置するＵＥにはセルブロードキャスト通信を用いて情報配信を行い、中距離エリア及び長距離エリアに位置するＵＥにはユニキャスト通信を用いて情報配信を行ってもよい。
【００６８】
さらに、ユニキャスト通信を行う場合には、実施の形態３において説明したように、ＵＥの端末種別毎に配信情報を変更してもよく、ＵＥを保持するユーザの年齢と、ＵＥの加入者情報に応じて配信情報を変更してもよい。
【００６９】
以上説明したように、本発明の実施の形態４にかかるメッセージ配信処理を用いることによって、配信装置１０は、配信エリア毎に、セルブロードキャスト通信を用いるかユニキャスト通信を用いるかを選択することが出来る。これによって、例えば、配信エリア内のＵＥ数が予め定められた閾値よりも多い場合、セルブロードキャスト通信を用いて効率的にＵＥへ情報を配信することが出来る。これは、多数のＵＥに対してユニキャスト通信を行う場合、情報配信システム内において送受信される制御メッセージの増加等により、情報配信システムにおける負荷が増加することを防止するためである。
【００７０】
また、配信エリア内のＵＥ数が予め定められた閾値よりも少ない場合、ユニキャスト通信を用いてＵＥへ情報を配信することが出来る。これによって、ＵＥ毎にさらにことなる情報を配信することが出来るため、ＵＥ毎に必要となる情報を配信することが出来る。
【００７１】
（実施の形態５）
続いて、図１０を用いて本発明の実施の形態５にかかるＵＥ７０の構成例について説明する。実施の形態５においては、配信装置１０は、近距離エリア、中距離エリア及び長距離エリアのそれぞれのエリアに位置するＵＥに対して同じ情報を配信する。具体的には、配信装置１０は、近距離エリア、中距離エリア及び長距離エリアのそれぞれに配信する内容をすべて含んだ情報をＵＥへ配信する。このように、ＵＥが、近距離エリア、中距離エリア及び長距離エリアのそれぞれに配信する内容をすべて含んだ情報を受信するＵＥの構成例を説明する。
【００７２】
ＵＥ７０は、メッセージ受信部７２、位置測定部７４及びメッセージ抽出部７６を有している。メッセージ受信部７２は、ｅＮＢを介して送信された配信情報を受信する。配信情報は、例えば、近距離エリア、中距離エリア及び長距離エリアのそれぞれに位置するＵＥが受信する情報をすべて含む。さらに、配信情報は、イベントが発生した場所に関する情報も含む。
【００７３】
位置測定部７４は、自装置とイベント発生場所との間の距離を測定する。位置測定部７４は、例えば、ＧＰＳ機能を有している場合、ＧＰＳを用いて測定した自装置位置と、配信情報に含まれるイベント発生場所との間の距離を測定してもよい。もしくは、位置測定部７４は、セルＩＤを用いて自装置とイベント発生場所との間の距離を測定してもよい。例えば、位置測定部７４は、セルの位置を示す情報を保持していてもよい。位置測定部７４は、自装置が在圏しているセルＩＤと、配信情報に含まれるイベントが発生した場所のセルＩＤと、セルの位置を示す情報とを用いて、自装置とイベント発生場所との間の距離を測定してもよい。
【００７４】
位置測定部７４は、自装置とイベント発生場所との間の距離を測定し、自装置がイベント発生場所を中心として、近距離エリア、中距離エリアもしくは長距離エリアのいずれのエリアに位置するかを特定する。例えば、位置測定部７４は、予め閾値を設定し、測定した距離が閾値より短い場合、近距離エリアとし、測定した距離が閾値よりも長い場合、中距離エリアもしくは長距離エリアとしてもよい。さらに、位置測定部７４は、異なる閾値を用いて、中距離エリアにいるかもしくは長距離エリアにいるかを判定してもよい。
【００７５】
メッセージ抽出部７６は、配信情報の中から自装置が位置するエリアに応じたメッセージを抽出する。
【００７６】
続いて、図１１を用いてＵＥ７０における配信情報の受信処理の流れについて説明する。はじめに、メッセージ受信部７２は、配信装置１０から配信された配信メッセージを受信する（Ｓ３１）。次に、位置測定部７４は、イベント発生位置と自装置との間の距離を測定する（Ｓ３２）。ここで、位置測定部７４は、測定結果を用いて、自装置が近距離エリア、中距離エリアもしくは長距離エリアのいずれのエリアに位置するかを判定する。
【００７７】
次に、メッセージ抽出部７６は、受信した配信メッセージの中から自装置のエリアの位置に対応するメッセージを抽出する（Ｓ３３）。次に、メッセージ抽出部７６は、抽出したメッセージをＵＥ７０の表示部（図示せず）等に出力し、メッセージを表示させる。
【００７８】
以上説明したように、本発明の実施の形態５にかかるＵＥ７０は、イベント発生場所と自装置との間の距離を測定することが出来る。これによって、ＵＥ７０は、複数のエリアに配信される複数の情報の中から、自装置の位置するエリアに応じたメッセージを選択して受信することが出来る。そのため、メッセージを配信する配信装置１０は、配信エリア毎にメッセージを生成する必要がなく、全てのメッセージを含む１つのメッセージを生成すればよいため、メッセージの生成処理負担を軽減することが出来る。
【００７９】
上記の説明においては、メッセージ抽出部７６は、自装置の位置に応じてどのメッセージを抽出するかについて判定を行っているが、その他の判定条件を用いて、メッセージを抽出するかもしくはメッセージを廃棄するか等の判定を行ってもよい。ここで、図１２を用いてその他の判定条件を説明する。
【００８０】
例えば、判定条件として地理的条件が用いられてもよい。具体的には、ＵＥが、地理的条件として高速道路上にあるか一般道路上にあるか否かを判定してもよい。例えば、配信情報内に、高速道路上にいるＵＥのみがメッセージを受信せよ、とのポリシーが指定されていた場合、高速道路上にいるＵＥのみがメッセージを受信し、その他のＵＥは、メッセージを廃棄する。その他の地理的条件として、例えば、建物内にいるか建物外、建物の何階にいるか等が用いられてもよい。
【００８１】
地理的条件を判定する際に、ＵＥは、ＧＰＳ情報及び地図情報を用いて自装置の位置を判定してもよい。もしくは、ＵＥは、車に搭載された通信端末である場合、カーナビゲーションと連携して自装置の位置を判定してもよく、ＥＴＣ、ＩＴＳスポット、ＢＩＣＳ情報等と連携して自装置の位置を判定してもよい。もしくは、ＵＥが社員カードとして用いられるカード端末である場合に、社員カードの読み取り情報に応じて自装置が建物内の何階に位置するかを判定してもよい。
【００８２】
次に、判定条件として気候条件が用いられる場合について説明する。具体的に気候条件として、雨、雪、強風もしくは雷等を判定してもよい。例えば、配信情報内に、雨の地域にいるＵＥのみがメッセージを受信せよ、とのポリシーが指定されてもよい。
【００８３】
気候条件を判定する際に、自装置の位置情報及びその位置に対応する気象予報情報を用いて自装置が在圏するエリアの気象情報を判定してもよい。もしくは、ＵＥは、カメラを用いた撮影した画像情報に基づいて気象情報を判定してもよい。もしくは、ＵＥは、ユーザによって入力された気象情報を用いて気象情報を判定してもよい。
【００８４】
次に、判定条件として、道路条件が用いられる場合について説明する。具体的に道路条件として、路面が凍結しているか否かを判定してもよい。他と出刃、配信情報内に、路面が凍結している地域を走行中の車両のみメッセージを受信せよ、とのポリシーが指定されてもよい。道路条件を判定する際に、気候条件の判定と同様の方法が用いられてもよい。さらに、道路条件を判定する際に、車両のブレーキ情報を用いて路面が凍結しているか否かを判定してもよい。
【００８５】
次に、判定条件としてバッテリー残量に関する条件が用いられる場合について説明する。具体的に、バッテリー残量に関する条件として、バッテリー残量がｎ％以上（ｎは予め定められた値）か否かを判定してもよい。そのほか、現在ＵＥが充電中か否か、最後に充電を行ってから経過した時間等を判定してもよい。
【００８６】
次に、判定条件として移動に関する条件が用いられる場合について説明する。具体的に移動に関する条件として、ユーザの移動手段として車、バイク、自転車、電車、タクシー、新幹線等の車両種別が用いられてもよい。もしくは、移動に関する条件として、ＵＥを保持するユーザが、高速移動をしているか低速移動をしているかが用いられてもよく、移動中か停止中かが用いられてもよい。移動に関する条件を判定する際に、移動速度を検出し、移動速度に応じて車両種別を判定してもよい。また、エンジンがオン状態かオフ状態化を判定して、移動中か定終化を判定してもよい。また、ＵＥは、ユーザによって入力された事故情報等に応じて、事故中か否かを判定してもよい。さらに、車両のブレーキ情報もしくは移動速度に関する情報等を用いて車両が渋滞中か否かを判定してもよい。
【００８７】
次に、判定条件として乗車員に関する条件が用いられる場合について説明する。具体的に、乗車員に関する条件として、ＵＥが、運転手が使用するＵＥか、運転手以外が使用するＵＥかが用いられてもよい。運転手によって使用されているか否かは、ＵＥを操作するユーザの入力情報に応じて判定されてもよい。
【００８８】
次に、判定条件として、端末動作に関する条件が用いられる場合について説明する。具体的に、端末動作に関する条件として、ＵＥが音楽再生中か否か、もしくは、ゲームを起動中か否か等を判定してもよい。ＵＥが、音楽再生を行っているか、もしくは、ゲームを起動しているか否か等は、ＵＥ起動しているアプリケーション情報等と連携して判定してもよい。
【００８９】
次に、判定条件として車の装備に関する条件が用いられる場合について説明する。具体的に、車の装備に関する条件として、タイヤ種別が判定されてもよい。タイヤ種別は、例えば、ノーマルタイヤかスタッドレスタイヤか等が判定されてもよい。タイヤ種別については、ＵＥを操作するユーザの入力情報に応じて判定されてもよい。
【００９０】
そのほか、本図に記載されている以外にも様々な判定条件が用いられてもよい。例えば、盗難中の車両を捜索するために、車両のナンバーを自律的に送信することを指示する情報を配信してもよい。
【００９１】
配信装置１０は、本図に示した判定条件もしくは本図に示した判定条件以外の判定条件を配信情報に含めてＵＥへ送信することができる。
【００９２】
（実施の形態６）
続いて、図１３を用いて本発明の実施の形態６にかかるｅＮＢの構成例について説明する。実施の形態６においては、配信装置１０は、近距離エリア、中距離エリア及び長距離エリアのそれぞれのエリアに位置するｅＮＢに対して同じ情報を配信する。具体的には、配信装置１０は、近距離エリア、中距離エリア及び長距離エリアのそれぞれに配信する内容をすべて含んだ配信情報を近距離エリア、中距離エリア及び長距離エリアに位置する全てのｅＮＢへ配信する。このように、全てのｅＮＢが、近距離エリア、中距離エリア及び長距離エリアのそれぞれに配信する内容をすべて含んだ配信情報を受信する場合のｅＮＢの構成例を説明する。
【００９３】
ここで、配信情報は、配信先のセルＩＤリストと、セルＩＤ毎の配信メッセージとの対応情報が含まれている。
【００９４】
ｅＮＢ８０は、メッセージ受信部８２、配信判定部８４及びメッセージ送信部８６を有している。メッセージ受信部８２は、ＭＭＥ３２から配信された配信情報を受信する。メッセージ受信部８２は、受信した配信情報を配信判定部８４及びメッセージ送信部８６へ出力する。
【００９５】
配信判定部８４は、メッセージ受信部８２から出力された配信情報のセルＩＤリストに、ｅＮＢ８０が形成するセルを識別するセルＩＤが含まれているか否かを判定する。配信判定部８４は、セルＩＤリストに、ｅＮＢ８０が形成するセルを識別するセルＩＤが含まれていると判定した場合、配信情報の中からｅＮＢ８０が形成するセルに対応付けられている配信メッセージを抽出する。さらに、配信判定部８４は、抽出した配信情報をメッセージ送信部８６へ出力する。メッセージ送信部８６は、配信判定部８４から出力された配信メッセージを、配信判定部８４が形成するセルに在圏するＵＥへ送信する。
【００９６】
また、配信判定部８４は、セルＩＤリストに、ｅＮＢ８０が形成するセルを識別するセルＩＤが含まれていないと判定した場合、メッセージ受信部８２から出力された配信情報を廃棄してもよい。
【００９７】
続いて、図１４を用いて、具体的に３ＧＰＰにおいて規定されているネットワークを用いた場合における処理の流れについて説明する。図１４は、Ｅ−ＵＴＲＡＮを用いた場合の処理の流れを示している。図１４におけるＣＢＥは、同報配信を要求する装置であり、例えば、配信装置１０であってもよい。
【００９８】
はじめに、ＣＢＥは、同報配信の実行を要求するために、ＣＢＣへEmergency Broadcast Requestメッセージを送信する（Ｓ５１）。次に、ＣＢＣは、ＭＭＥへWrite-Replace Warning Requestメッセージを送信する（Ｓ５２）。ＭＭＥは、Write-Replace Warning Requestメッセージに対する応答メッセージとしてＣＢＸへWrite-Replace Warning Confirmメッセージを送信する（Ｓ５３）。さらに、ＣＢＣは、Emergency Broadcast Requestメッセージに対する応答メッセージとして、Emergency Broadcast Responseメッセージを送信する（Ｓ５４）。
【００９９】
次に、ＭＭＥは、ＣＢＣから送信されたWrite-Replace Warning RequestメッセージをｅＮＢへ送信する（Ｓ５５）。ここで、ステップＳ５２及びＳ５５において送信されるWrite-Replace Warning Requestメッセージについて図１５を用いて詳細に説明する。
【０１００】
図１５は、Write-Replace Warning Requestメッセージに設定されるパラメータの一覧を示している。REFERENCEは、３ＧＰＰの技術仕様書であるTS23.401（V12.2.0）において参照する箇所を示している。PRESENCEは、それぞれのパラメータが必ず設定される必須パラメータ（Ｍ）か、任意に設定されるオプションパラメータ（Ｏ）か、を示している。
【０１０１】
図１５に示されているWarning Message Content E-UTRANに、配信情報が設定されている。配信情報は、上述したように、例えば、近距離エリア、中距離エリア及び長距離エリアのそれぞれに配信する内容をすべて含んだ配信情報である。例えば、Warning Message Content E-UTRANの設定エリアを分割して、近距離エリア、中距離エリア及び長距離エリアのそれぞれに配信する内容が設定されている。
【０１０２】
さらに、図１５に示されているWarning Area Listに、配信先のセルＩＤと、それぞれのセルＩＤにおいて配信すべきメッセージの格納先が設定されている。例えば、Warning Area Listには、セルＩＤ：１〜１０（セルＩＤが数字にて識別される場合）には、Warning Message Content E-UTRANのＸＢｙｔｅ〜ＹＢｙｔｅ（Ｘ、Ｙは、０もしくは任意の自然数を示す）に設定されているメッセージをＵＥへ配信すること、とする内容を示す情報が設定されている。
【０１０３】
図１４に戻り、ｅＮＢは、Write-Replace Warning Requestメッセージを受け取ると、Warning Area Listに、自装置が形成するセルに関するセルＩＤが含まれているか否かを判定する。ｅＮＢは、自装置が形成するセルに関するセルＩＤが含まれている場合、Warning Message Content E-UTRANに設定されているメッセージであって、Warning Area Listにおいて指定された箇所のメッセージをＵＥへ送信するために、Cell Broadcast deliveryメッセージをＵＥへ送信する（Ｓ５６）。ｅＮＢは、例えば、図１６に示されているように、Cell Broadcast deliveryメッセージ内のパラメータである、CB Dataに、Warning Message Content E-UTRANに設定されていたメッセージの中から選択したメッセージを設定する。図１４に戻り、ｅＮＢは、Cell Broadcast deliveryメッセージを送信した後、Write-Replace Warning ResponseメッセージをＭＭＥへ送信する（Ｓ５７）。
【０１０４】
ここで、図１５において説明したパラメータの構成について異なる例について説明する。例えば、Warning Message Content E-UTRAN(1)、Warning Message Content E-UTRAN(2)、Warning Message Content E-UTRAN(3)のように、複数のWarning Message Content E-UTRANを規定し、Warning Message Content E-UTRAN(1)には、近距離エリアに配信する内容、Warning Message Content E-UTRAN(2)には、中距離エリアに配信する内容、Warning Message Content E-UTRAN(3)には、長距離エリアに配信する内容を設定してもよい。さらに、Warning Area ListについてもWarning Area List(1)、Warning Area List(2)、Warning Area List(3)のように、複数のWarning Area Listを規定し、Warning Area List(1)には、近距離エリアに含まれるセルＩＤが設定され、Warning Area List(2)には、中距離エリアに含まれるセルＩＤが設定され、Warning Area List(3)には、長距離エリアに含まれるセルＩＤが設定されるようにしてもよい。
【０１０５】
続いて、図１７を用いて、３ＧＰＰにおいて規定されている他のネットワークを用いた場合における処理の流れについて説明する。図１７は、ＵＭＴＳを用いた場合の処理の流れを示している。ＮｏｄｅＢは、ＵＭＴＳにおいて用いられる基地局である。また、ＲＮＣ（Radio Network Controller）は、ＮｏｄｅＢを集約する装置である。
【０１０６】
はじめに、ＣＢＥは、同報配信の実行を要求するために、ＣＢＣへInformationメッセージを送信する（Ｓ６１）。次に、ＣＢＣは、ＲＮＣへWrite-Replaceメッセージを送信する（Ｓ６２）。ここで、ステップＳ６２において送信されるWrite-Replaceメッセージについて図１８を用いて詳細に説明する。
【０１０７】
図１８は、Write-Replaceメッセージに設定されるパラメータの一覧を示している。REFERENCEは、３ＧＰＰの技術仕様書であるTS23.401（V12.2.0）において参照する箇所を示している。PRESENCEは、それぞれのパラメータが必ず設定される必須パラメータ（Ｍ）か、任意に設定されるオプションパラメータ（Ｏ）か、を示している。
【０１０８】
図１８に示されているCBS-Message-Information-Page 1〜ｎに、配信情報が設定されている。配信情報は、上述したように、例えば、近距離エリア、中距離エリア及び長距離エリアのそれぞれに配信する内容をすべて含んだ配信情報である。例えば、CBS-Message-Information-Page 1には、近距離エリアに配信する内容、CBS-Message-Information-Page 2には、中距離エリアに配信する内容、CBS-Message-Information-Page 3には、長距離エリアに配信する内容を設定してもよい。
【０１０９】
さらに、図１８に示されているCell-Listに、配信先のセルＩＤと、それぞれのセルＩＤにおいて配信すべきメッセージの格納先が設定されている。例えば、Cell-Listには、セルＩＤ：１〜１０（セルＩＤが数字にて識別される場合）においては、CBS-Message-Information-Page 1に設定されているメッセージをＵＥへ配信すること、とする内容を示す情報が設定されている。
【０１１０】
図１７に戻り、ＲＮＣは、Write-Replaceメッセージを受け取ると、ＮｏｄｅＢへBroadcast Requestメッセージを送信する（Ｓ６３）。ＲＮＣは、Write-Replaceメッセージを受け取ると、Cell-Listに、配下のＮｏｄｅＢが形成するセルに関するセルＩＤが含まれているか否かを判定する。ＲＮＣは、配下のＮｏｄｅＢが形成するセルに関するセルＩＤが含まれている場合、Cell-Listにおいて指定されたCBS-Message-Information-Page nをＵＥへ送信するために、Broadcast RequestメッセージをＮｏｄｅＢへ送信する。
【０１１１】
次に、Broadcast Requestメッセージを受信したＮｏｄｅＢは、Broadcast Informationメッセージ（Ｓ６４）、Pagingメッセージ（Ｓ６５）及びPrimary notification with securityメッセージ（Ｓ６６）を、ＵＥへ送信する。また、ＲＮＣは、ステップＳ６３においてBroadcast Requestメッセージを送信した後に、ＣＢＣへReport-Successメッセージを送信する（Ｓ６７）。ＣＢＣは、Report-Successメッセージを受信すると、ＣＢＥへ、Ａｃｋメッセージを送信する（Ｓ６８）。
【０１１２】
ここで、図１８において説明したパラメータの構成について異なる例について説明する。例えば、CBS-Message-Information-Page 1の設定エリアを分割して、近距離エリアに配信する内容、中距離エリアに配信する内容、長距離エリアに配信する内容を設定してもよい。さらに、Cell-Listには、Cell-List (1)、Cell-List (2)、Cell-List (3)のように、複数のCell-Listを規定し、Cell-List (1)には、近距離エリアに含まれるセルＩＤが設定され、Cell-List (2)には、中距離エリアに含まれるセルＩＤが設定され、Cell-List (3)には、長距離エリアに含まれるセルＩＤが設定されるようにしてもよい。
【０１１３】
また、実施の形態６においては、配信装置１０が、近距離エリア、中距離エリア及び長距離エリアのそれぞれに配信する内容をすべて含んだ配信情報を近距離エリア、中距離エリア及び長距離エリアに位置する全てのｅＮＢもしくはＲＮＣへ配信することについて説明している。そのため、このように配信情報に近距離エリア、中距離エリア及び長距離エリアのそれぞれに配信する内容がすべて含まれていることを示すためのパラメータを、図１５及び図１８に示すパラメータ一覧に追加してもよい。このように、追加したパラメータに、配信情報に近距離エリア、中距離エリア及び長距離エリアのそれぞれに配信する内容がすべて含まれていることが示されている場合、本発明の実施の形態６にかかる動作を実行し、配信情報に近距離エリア、中距離エリア及び長距離エリアのそれぞれに配信する内容がすべて含まれていることが示されていない場合、実施の形態２等において説明した動作を実行してもよい。
【０１１４】
（実施の形態７）
続いて、図１９を用いて本発明の実施の形態7にかかる情報配信システムの構成例について説明する。図１においては、配信装置１０が、通信端末２２からイベント通知メッセージを取得する構成について説明したが、本図においては、配信装置１０が通信端末２２からではなく、外部サーバ装置１００からイベント通知メッセージを取得する構成について説明する。例えば、配信装置１０のメッセージ解析部１４は、イベントを検知した外部サーバ装置１００から送信されたイベント通知メッセージを受信してもよい。また、外部サーバ装置１００は、通信端末２２等からイベント通知メッセージを収集することによって、イベントを検知してもよく、その他の手段を用いてイベントを検知してもよい。さらに、配信装置１０は、外部サーバ装置１００からイベント通知メッセージを取得することに加えて、通信端末２２からイベント通知メッセージを取得してもよい。
【０１１５】
その他の手段とは、例えば、外部サーバ１００が、路上に複数のセンサ装置と有する交通管制システムを構成するサーバである場合、外部サーバ１００は、複数のセンサ装置が検知した情報を収集することによってイベントを検知してもよい。
【０１１６】
以上説明したように、本発明の実施の形態７にかかる情報配信システムを用いることによって、メッセージ解析部１４は、通信端末２２からのみではなく、外部サーバ装置等他の手段を用いて、イベント通知メッセージを取得することができる。
【０１１７】
（実施の形態８）
続いて、図２０を用いて本発明の実施の形態８にかかる情報配信システムの構成例について説明する。本図の配信装置１０は、ユニキャスト通信システム１０１、マルチキャストシステム１０２及びブロードキャストシステム１０３を介して配信エリアに情報を配信する。
【０１１８】
ユニキャスト通信システム１０１は、例えば、ＳＭＳが用いられてもよい。さらに、マルチキャストシステム１０２は、例えば、ＩＰマルチキャストもしくはＭＢＭＳ等が用いられてもよい。さらに、ブロードキャストシステム１０３は、ＥＴＷＳもしくはＣＢＳ等が用いられてもよい。また、配信装置１０の接続先は、ユニキャスト通信システム１０１、マルチキャストシステム１０２及びブロードキャストシステム１０３に限定されず、その他に、ワンセグ放送等を含むデジタル放送システム、ラジオ放送システムもしくはＶＩＣＳ（登録商標）（Vehicle Information and Communication System）等が用いられてもよい。
【０１１９】
続いて、図２１を用いてブロードキャストシステム１０３として、ＣＢＳが用いられる場合の具体的なネットワーク構成について説明する。
【０１２０】
本図のネットワークは、ＵＥ（User Equipment）１１１、ＮｏｄｅＢ１１２、ｅＮｏｄｅＢ１１３、ＢＳＣ（Base Station Controller）１１４、ＲＮＣ（Radio Network Controller）１１５、ＭＭＥ（Mobility Management Entity）１１６、ＣＢＣ（Cell Broadcast Center）１１７及び配信装置１１８を有している。
【０１２１】
ＵＥ１１１は、移動通信装置である。ＮｏｄｅＢ１１２及びｅＮｏｄｅＢ１１３は、基地局装置であり、特にｅＮｏｄｅＢ１１３は、ＬＴＥにおいて用いられる基地局装置である。ＭＭＥ１１６は、主にＵＥ１１１の移動管理を行う。ＢＳＣ１１４及びＲＮＣ１１５は、ＮｏｄｅＢ１１２を制御する装置である。ＣＢＣ１１７は、セルブロードキャストを実行する際に用いられる装置である。配信装置１１８は、ＣＢＣ１１７へ配信情報を送信する。
【０１２２】
また、本図に示しているＵｍ、Ｕｕ、ＬＴＥ−Ｕｕ、Ｇｂ、Ｉｕｂ、ＣＢＣ−ＢＳＣ、Ｉｕ−ＢＣ、Ｓ１−ＭＭＥ、ＳＢｃ、Ｔｃｂは、それぞれ装置間のインタフェース名称を示している。
【０１２３】
続いて、図２２を用いてマルチキャストシステム１０２としてＭＢＭＳが用いられる場合の具体的なネットワーク構成について説明する。本図のネットワークは、ＵＥ１２１、ＭＭＥ１２２、ＳＧＳＮ１２３、ＭＢＭＳ−ＧＷ１２４、ＰＤＮ−ＧＷ１２５、Ｖ−ＢＭＳＣ（Broadcast Multicast Service Center）１２６、Ｈ−ＢＭＳＣ１２７及び配信装置１２８を有している。ＭＢＭＳ−ＧＷ１２４は、Ｅ−ＵＴＲＡＮ及びＵＴＲＡＮを介してＵＥへデータを送信する。また、ＵＥ１２１、ＭＭＥ１２２、ＳＧＳＮ１２３、ＭＢＭＳ−ＧＷ１２４、ＰＤＮ−ＧＷ１２５、Ｖ−ＢＭＳＣ１２６及びＨ−ＢＭＳＣ１２７を有するネットワークは、３ＧＰＰにおいて規定されているネットワークとして既に知られていることから、詳細な説明を省略する。
【０１２４】
配信装置１２８は、Ｈ−ＢＭＳＣ１２７へ配信情報を送信する。ＢＭＳＣは、ＭＢＭＳにて伝送するコンテンツを格納する装置である。また、ＭＢＭＳ−ＧＷ１２４は、Ｈ−ＢＭＳＣ１２７及びＶ−ＢＭＳＣ１２６を介して送信された配信情報をＩＰマルチキャストを用いて送信する。
【０１２５】
また、本図に示しているＥ−ＵＴＲＡＮ  Ｕｕ、Ｕｕ、Ｍ３、Ｍ１、Ｉｕ、Ｓｍ、Ｓｎ、ＳＧｍｂ、ＳＧｉ−ｍｂ、ＳＧｉ、ＳＧｉ−ｍｂ、Ｍｚ及びＴｍｂは、それぞれ装置間のインタフェース名称を示している。
【０１２６】
以上説明したように、本発明の実施の形態８に示す情報配信システムを用いることにより、配信装置は、異なる配信手段を用いるシステムと接続することができる。
【０１２７】
上述の実施の形態では、本発明をハードウェアの構成として説明したが、本発明は、これに限定されるものではない。本発明は、配信装置もしくは通信端末における処理を、ＣＰＵ（Central Processing Unit）にコンピュータプログラムを実行させることにより実現することも可能である。
【０１２８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２９】
なお、本発明は上記実施の形態に限られたものではなく、趣旨を逸脱しない範囲で適宜変更することが可能である。例えば、配信装置１０、１１８及び１２８において実現される機能は、ＣＢＣ３１に実装されてもよい。もしくは、配信装置１０、１１８及び１２８において実現される機能は、３ＧＰＰにおいて規定されているＭＴＣ−ＩＷＦ又はＳＣＳ等において実装されてもよい。もしくは、配信装置１０、１１８及び１２８において実現される機能は、サービス事業者が管理するサービスプラットフォームもしくはサービス事業者が管理するサーバ装置において実装されてもよい。もしくは、配信装置１０、１１８及び１２８において実現される機能は、通信事業者が管理するノード装置において実装されてもよい。
【０１３０】
以上、実施の形態を参照して本願発明を説明したが、本願発明は上記によって限定されるものではない。本願発明の構成や詳細には、発明のスコープ内で当業者が理解し得る様々な変更をすることができる。
【０１３１】
この出願は、２０１３年７月３日に出願された日本出願特願２０１３−１４０１５７を基礎とする優先権を主張し、その開示の全てをここに取り込む。
【符号の説明】
【０１３２】
１０  配信装置
１２  情報管理部
１４  メッセージ解析部
１６  配信部
２０  通信端末
２２  通信端末
２４  通信端末
３１  ＣＢＣ
３２  ＭＭＥ
３３  ｅＮＢ
３４  ｅＮＢ
３５  ｅＮＢ
３６  ＵＥ
３７  ＵＥ
３８  ＵＥ
４１  ＰＧＷ
４２  ＳＧＷ
５１  ＨＳＳ
６１  ｅＮＢ
６２  ｅＮＢ
６３  ｅＮＢ
６４  ｅＮＢ
６５  ＵＥ
６６  ＵＥ
６７  ＵＥ
６８  ＵＥ
７０  ＵＥ
７２  メッセージ受信部
７４  位置測定部
７６  メッセージ抽出部
８０  ｅＮＢ
８２  メッセージ受信部
８４  配信判定部
８６  メッセージ送信部
１００  外部サーバ装置
１０１  ユニキャスト通信システム
１０２  マルチキャストシステム
１０３  ブロードキャストシステム
１１１  ＵＥ
１１２  ＮｏｄｅＢ
１１３  ｅＮｏｄｅＢ
１１４  ＢＳＣ
１１５  ＲＮＣ
１１６  ＭＭＥ
１１７  ＣＢＣ
１１８  配信装置
１２１  ＵＥ
１２２  ＭＭＥ
１２３  ＳＧＳＮ
１２４  ＭＢＭＳ−ＧＷ
１２５  ＰＤＮ−ＧＷ
１２６  Ｖ−ＢＭＳＣ
１２７  Ｈ−ＢＭＳＣ
１２８  配信装置
【図１】
2015001795.tif 000003
【図２】
2015001795.tif 000004
【図３】
2015001795.tif 000005
【図４】
2015001795.tif 000006
【図５】
2015001795.tif 000007
【図６】
2015001795.tif 000008
【図７】
2015001795.tif 000009
【図８】
2015001795.tif 000010
【図９】
2015001795.tif 000011
【図１０】
2015001795.tif 000012
【図１１】
2015001795.tif 000013
【図１２】
2015001795.tif 000014
【図１３】
2015001795.tif 000015
【図１４】
2015001795.tif 000016
【図１５】
2015001795.tif 000017
【図１６】
2015001795.tif 000018
【図１７】
2015001795.tif 000019
【図１８】
2015001795.tif 000020
【図１９】
2015001795.tif 000021
【図２０】
2015001795.tif 000022
【図２１】
2015001795.tif 000023
【図２２】
2015001795.tif 000024
【手続補正書】
【提出日】平成27年12月24日(2015.12.24)
【手続補正１】
【補正対象書類名】特許請求の範囲
【補正対象項目名】請求項１５
【補正方法】変更
【補正の内容】
【請求項１５】
イベントの発生を示すイベント通知メッセージを受信するステップと、
前記イベント通知メッセージを用いて前記イベントの発生した位置及び発生した前記イベントの内容を解析するステップと、
前記解析結果に応じて、イベントが発生した場所を含む周辺エリアに位置する複数の通信端末へ配信される配信情報であって、前記イベントの内容及び前記イベントが発生した場所との距離に応じて定まる配信情報を管理する情報管理手段から前記配信情報を抽出するステップと、
抽出した前記配信情報を前記周辺エリアに位置する複数の通信端末へ配信するステップとをコンピュータに実行させるプログラム。
【手続補正２】
【補正対象書類名】特許請求の範囲
【補正対象項目名】請求項１６
【補正方法】変更
【補正の内容】
【請求項１６】
イベントが発生した場所を含む周辺エリアに位置する複数の通信端末へ配信される配信情報であって、前記イベントの内容及び前記イベントが発生した場所との距離に応じて定まる配信情報を配信する配信装置から配信された前記配信情報を受信するステップと、
自装置の位置と、前記イベントが発生した場所との間の距離を測定するステップと、
前記測定結果に応じて前記配信情報の中から受信すべき情報を抽出するステップとをコンピュータに実行させるプログラム。
【国際調査報告】
2015001795.tif 000025
2015001795.tif 000026
2015001795.tif 000027
2015001795.tif 000028